(57)【要約】【課題】製造コストを最小限に抑えたり、ワイヤストッパの取付作業を少ない手間や時間で行えたりする扉の開き角度調節装置を提供する。【解決手段】扉１または扉枠に取り付けられるワイヤストッパ１１と、扉枠４または扉に取り付けられる取付具１２と、ワイヤストッパ１１と取付具１２との間を繋ぐワイヤ５と、を備え、ワイヤストッパ１１は、基板部から折曲されて折曲片が形成されたブラケット１３と、ワイヤが挿通されたストッパ本体と、ストッパ本体内に設けられて、ワイヤ５を挟持する挟持手段と、を有し、ブラケット１３に、ワイヤストッパ１１を扉１または枠体４に取り付けるためのストッパ取付用孔部が形成され、扉１の板状部１ａに前記ワイヤストッパが取り付けられる場合において、ワイヤストッパ１１におけるワイヤ５が出る箇所が、板状部１ａよりも下方に突出する姿勢となる位置に、ブラケット１３のストッパ取付用孔部が形成されている。【選択図】図１
2015134994.tif 000002
【特許請求の範囲】
【請求項１】
開口部を開閉する扉と前記開口部の周囲に配設される扉枠とにおける一方の部材に取り付けられるワイヤストッパと、扉と扉枠とにおける他方の部材に取り付けられる取付具と、前記ワイヤストッパと前記取付具との間を繋ぐワイヤと、を備えた扉の開き角度調節装置であって、
前記ワイヤストッパは、前記一方の部材に取り付けられ、少なくとも一方の端部が基板部から折曲されて折曲片が形成されたブラケットと、前記ブラケットの折曲片に取り付けられ、ワイヤが挿通されたストッパ本体と、このストッパ本体内に設けられて、ワイヤを挟持する挟持手段と、を有し、
前記ブラケットに、ワイヤストッパを前記一方の部材に取り付けるためのストッパ取付用孔部が形成され、
前記一方の部材における前記開口部の中央側または扉中央側に延びる板状部に前記ワイヤストッパが取り付けられる場合において、前記ワイヤストッパにおけるワイヤが前記他方の部材の係止箇所側に向けて出る箇所が、前記板状部よりも扉枠中央側または扉中央側に突出する姿勢となる位置に、前記ブラケットのストッパ取付用孔部が形成されている
ことを特徴とする扉の開き角度調節装置。
【請求項２】
前記板状部に前記ワイヤストッパが取り付けられる場合に、前記ブラケットにおける前記開口部寄り部分が全体的に前記開口部側に突出する姿勢となる位置に、前記ブラケットのストッパ取付用孔部が形成されていることを特徴とする請求項１に記載の扉の開き角度調節装置。
【請求項３】
前記板状部に前記ワイヤストッパが取り付けられる場合に、前記ブラケットにおける前記ワイヤが前記他方の部材の係止箇所側に向けて出る側の箇所が、これとは反対側の箇所よりも前記板状部に対して開口部側に大きく突出する傾斜姿勢となるように、前記ブラケットのストッパ取付用孔部が形成されていることを特徴とする請求項１に記載の扉の開き角度調節装置。
【請求項４】
前記ブラケットにおけるブラケット取付用ねじをブラケットの内側から挿通させる際に用いるストッパ取付用孔部が、前記ブラケットの基板部に対して直交する方向から見て、前記ストッパ本体と重ならない位置に形成されていることを特徴とする請求項１〜３の何れか１項に記載の扉の開き角度調節装置。
【請求項５】
前記取付具は、前記他方の部材の辺における内面部に沿う姿勢で配設される基部と、この基部より屈曲されて開口部または扉の中心側に延びる垂設部とを備え、前記基部と前記垂設部の前記基部寄り箇所とに、前記取付具を他方の部材に取り付けるための取付用孔部がそれぞれ形成され、前記垂設部における前記基部から離れた箇所に、ワイヤを通す孔部が形成されていることを特徴とする請求項１〜４の何れか１項に記載の扉の開き角度調節装置。
【発明の詳細な説明】
【技術分野】
【０００１】
本発明は扉の開き角度調節装置に関するものである。
【背景技術】
【０００２】
鉛直軸心などの直線状の軸心周りに回動自在に設けられた扉に対して、その最大開き角度を規制できるとともに調節可能とされた扉の開き角度調節装置が、特許文献１などに開示されている。
【０００３】
図１７〜図２４は、前記特許文献１と同様な構成の扉の開き角度調節装置を示すもので、この扉の開き角度調節装置は、図１７に示すように、扉８１および扉枠８２の一方に取り付けられたワイヤストッパ８３と、扉８１および扉枠８２の他方に取り付けられたプレートなどの取付具８４と、これらのワイヤストッパ８３と取付具８４との間を繋ぐワイヤ８５とから構成されている。
【０００４】
図１７〜図２０に示すように、ワイヤストッパ８３は、両端部が中央面部８６ａから折曲された金属板で構成され、中央面部８６ａで扉８１または扉枠８２に取り付けられるブラケット８６と、このブラケット８６における一方の折曲片８６ｂに取付筒部８７ａを介して取り付けられ、ワイヤ８５が挿通されたストッパ本体８７と、ストッパ本体８７内に設けられて、ワイヤ８５を挟持する挟持手段８８（図２０参照）とを有している。
【０００５】
ストッパ本体８７に挿通されたワイヤ８５は、ブラケット８６の他方の折曲片８６ｃに形成されたガイド孔８９を通して取付具８４側に延ばされ、取付具８４に形成された孔部８４ａに挿通されている。また、この孔部８４ａに挿通されたワイヤ８５の端部に、孔部８４ａよりも大径のボール状抜け止め部材９３が取り付けられて抜け止めされた状態で支持されている。
【０００６】
図２０に示すように、ワイヤストッパ８３の挟持手段８８は、ワイヤ８５の挿通方向に沿って移動可能な支持部材８８ｂにより、複数のボール８８ａが、ストッパ本体８７の内周に形成されたテーパ面（円錐面）８８ｃに沿って摺接するとともに回転自在な状態で支持されている。そして、ワイヤ８５が、Ａ方向に引っ張られると、テーパ面（円錐面）８８ｃにおける小径側箇所に移動することで、ワイヤ８５を挟持してワイヤ８５のそれ以上の移動を阻止して挟持する。一方、ワイヤ８５の有効長さを調節する場合には、ボール８８ａを支持する支持部材８８ｂのストッパ本体８７から突出している部分をストッパ本体８７内側に押し込んだり、ワイヤ８５のワイヤストッパ８３から出ている他端部を反Ａ方向に引っ張ったりすることで、ボール８８ａがテーパ面（円錐面）８８ｃにおける大径側箇所に移動して、ワイヤ８５の挟持状態から解除され、これにより、ワイヤ８５の有効長さを調節可能とされている。なお、図２０における９４は、複数のボール８８ａがはめ込まれている支持部材８８ｂを、テーパ面（円錐面）８８ｃが狭まる方向に付勢するばねである。
【０００７】
ここで、図１８〜図２０に示すように、ブラケット８６の中央面部８６ａには、ブラケット取付用ねじ９０をブラケット８６の内側から通すための２つの挿通孔８６ｄが形成されているが、これらの挿通孔８６ｄは、図１９に示すように、ブラケット８６の中央面部８６ａに直交する方向から見て、ストッパ本体８７やワイヤ８５と重なる位置に形成されている。
【０００８】
図２１、図２２に示すように、ワイヤストッパ８３を扉枠８２の上辺部下面８２ａに取り付ける場合には、ワイヤストッパ８３のブラケット８６の中央面部８６ａを扉枠８２の上辺部下面８２ａに下方から当接させた状態で、ブラケット取付用ねじ９０を、ブラケット８６の内側から挿通孔８６ｄを通して、扉枠８２の上辺部下面８２ａに形成した雌ねじ部８２ｄにねじ込むことで、ワイヤストッパ８３を固定している。
【０００９】
また、図２３、図２４に示すように、ワイヤストッパ８３を扉枠８２の上辺部８２ａから垂下する板状部（薄板状部）８２ｂに取り付ける場合には、ワイヤストッパ８３から出るワイヤ８５が板状部８２に干渉しないように、別途に設けた取付用プレート９１を介して、ワイヤストッパ８３全体が板状部８２ｂよりも下方に位置する姿勢で、ワイヤストッパ８３を固定している。
【００１０】
なお、ワイヤストッパ８３を扉枠８２の上辺部８２ａや、取付用プレート９１に取り付ける際には、ブラケット取付用ねじ９０をブラケット８６の内側から挿通孔８６ｄに通す作業を行う場合に、ストッパ本体８７が邪魔になるため、一旦、ブラケット８６からストッパ本体８７を取り外して、ブラケット８６を取り付けた後に、あらためて、ブラケット８６にストッパ本体８７を組み付け、さらにこの後に、ストッパ本体８７やブラケット８６にワイヤ８５を通している。
【００１１】
また、図１８、図２１〜図２４などに示すように、取付具８４は、扉８１の上部後面部８１ａなどに取り付けられる取付面部８４ｂと、この取付面部８４ａから傾斜して垂下するとともに、ワイヤ８５を通す孔部８４ａが形成された係止面部８４ｃとから構成されている。
【先行技術文献】
【特許文献】
【００１２】
【特許文献１】特許３５０９６５０号公報
【発明の概要】
【発明が解決しようとする課題】
【００１３】
しかしながら、上記した従来の扉の開き角度調節装置によれば、ワイヤストッパ８３を扉枠８２の上面８２ａから垂下する板状部８２ｂなどに取り付ける際には、図２３、図２４に示すように、別途に設けた取付用プレート９１が必要となるため、部品点数が増えて、ひいては製造コストの増加を招いている。
【００１４】
また、ワイヤストッパ８３を取り付ける際には、ブラケット８６からのストッパ本体８７の取外作業、ブラケット８６の扉枠８２への取付作業、ブラケット８６へのストッパ本体８７の組付作業、ストッパ本体８７やブラケット８６へのワイヤ８５の挿通作業が必要であり、多くの手間や時間が必要となっており、ワイヤストッパ８３の取付作業での能率を低下させている。
【００１５】
本発明は上記課題を解決するもので、製造コストを最小限に抑えたり、ワイヤストッパの取付作業を少ない手間や時間で行えたりする扉の開き角度調節装置を提供することを目的とするものである。
【課題を解決するための手段】
【００１６】
上記課題を解決するために、本発明は、開口部を開閉する扉と前記開口部の周囲に配設される扉枠とにおける一方の部材に取り付けられるワイヤストッパと、扉と扉枠とにおける他方の部材に取り付けられる取付具と、前記ワイヤストッパと前記取付具との間を繋ぐワイヤと、を備えた扉の開き角度調節装置であって、前記ワイヤストッパは、前記一方の部材に取り付けられ、少なくとも一方の端部が基板部から折曲されて折曲片が形成されたブラケットと、前記ブラケットの折曲片に取り付けられ、ワイヤが挿通されたストッパ本体と、ストッパ本体内に設けられて、ワイヤを挟持する挟持手段と、を有し、前記ブラケットに、ワイヤストッパを前記一方の部材に取り付けるためのストッパ取付用孔部が形成され、前記一方の部材における前記開口部の中央側または扉中央側に延びる板状部に前記ワイヤストッパが取り付けられる場合において、前記ワイヤストッパにおけるワイヤが前記他方の部材の係止箇所側に向けて出る箇所が、前記板状部よりも扉枠中央側または扉中央側に突出する姿勢となる位置に、前記ブラケットのストッパ取付用孔部が形成されていることを特徴とする。
【００１７】
この構成において、前記一方の部材における上辺部の下面などの開口部に臨む面や扉中央部側の面に前記ワイヤストッパを取り付ける場合には、前記ブラケットのストッパ取付用孔部を用いて、前記ブラケットの基板部を前記一方の部材における開口部に臨む面や扉中央部側の面に当接させた状態で、前記ブラケットを取り付ける。また、前記一方の部材における前記開口部の中央側または扉中央側に延びる板状部に前記ワイヤストッパを取り付ける場合には、前記ブラケットのストッパ取付用孔部を用いて、前記ワイヤストッパにおけるワイヤが前記他方の部材の係止箇所側に向けて出る箇所が、前記板状部よりも扉枠中央側または扉中央側に突出する姿勢で、前記ブラケットを取り付ける。このように、この構成によれば、何れの場合でも取付用プレートなどを別途に設けなくても、前記板状部に、前記ワイヤストッパを良好に作動できる状態で取り付けることができる。
【００１８】
また、本発明は、前記板状部に前記ワイヤストッパが取り付けられる場合に、前記ブラケットにおける前記開口部寄り部分が全体的に前記開口部側に突出する姿勢となる位置に、前記ブラケットのストッパ取付用孔部が形成されていることを特徴とする。例えば、前記板状部が、前記扉枠または扉の上辺部から下方に延びる姿勢で配設されている場合には、前記ブラケットの下部が全体的に前記板状部よりも下方に突出する姿勢となる位置に、前記ブラケットのストッパ取付用孔部を形成する。
【００１９】
また、本発明は、前記板状部に前記ワイヤストッパが取り付けられる場合に、前記ブラケットにおける前記ワイヤが前記他方の部材の係止箇所側に向けて出る側の箇所が、これとは反対側の箇所よりも前記板状部に対して開口部側に大きく突出する傾斜姿勢となるように、前記ブラケットのストッパ取付用孔部が形成されていることを特徴とする。例えば、前記板状部が、前記扉枠または扉の上辺部から下方に延びる姿勢で配設されている場合には、前記ブラケットの下部における前記ワイヤが前記他方の部材の係止箇所側に向けて出る側の箇所が、前記ブラケットの下部における前記ワイヤが前記他方の部材側に向けて出る側とは反対側の箇所よりも開口部側に大きく突出する傾斜姿勢となるように、前記ブラケットのストッパ取付用孔部を形成する。
【００２０】
この構成により、取付用プレートなどを別途に設けなくても、前記板状部に、前記ワイヤストッパを良好に作動できる状態で取り付けることができる。また、前記板状部が、扉枠における開口部の中央側に延びる姿勢で配設されており、この板状部に前記ワイヤストッパが取り付けられる場合には、前記ブラケットの下部における前記ワイヤが前記他方の部材側に向けて出る側の箇所だけが開口部側に突出させる姿勢でワイヤストッパを配設することができる。したがって、前記ブラケットにおける前記開口部寄り部分が全体的に前記開口部側に突出する姿勢で取り付けられる場合と比較して、前記ブラケットなどのワイヤストッパにおける開口部への突出するスペースを小さく抑えることができる利点がある。
【００２１】
また、本発明は、前記ブラケットにおけるブラケット取付用ねじをブラケットの内側から挿通させる際に用いるストッパ取付用孔部が、前記ブラケットの基板部に対して直交する方向から見て、前記ストッパ本体と重ならない位置に形成されていることを特徴とする。この構成によれば、前記ワイヤストッパのブラケットを扉枠や扉に取り付ける場合において、ブラケット取付用ねじをブラケットの内側からストッパ取付用孔部に通す際でも、ストッパ本体が邪魔にならないため、従来行っていたような、ブラケットに対するストッパ本体の取り外し作業や取付作業を行わないでも済み、作業能率が向上する。
【００２２】
また、本発明の前記取付具は、前記他方の部材の辺における内面部に沿う姿勢で配設される基部と、この基部より屈曲されて開口部または扉の中心側に延びる垂設部とを備え、前記基部と前記垂設部の前記基部寄り箇所とに、前記取付具を他方の部材に取り付けるための取付用孔部がそれぞれ形成され、前記垂設部における前記基部から離れた箇所に、ワイヤを通す孔部が形成されていることを特徴とする。
【００２３】
この構成において、前記取付具を、前記他方の部材の辺における内面部に取り付ける場合には、前記取付具の基部に形成された取付用孔部を用いて、前記取付具の基部を前記他方の部材の辺における内面部に当接させた状態で取り付けることができる。また、前記取付具を、前記他方の部材の辺における内面部から開口部または扉の中心側に延びる板状部に取り付ける場合には、前記取付具の垂設部に形成された取付用孔部を用いて、前記取付具の垂設部を前記板状部に当接させた状態で取り付けることができる。何れの場合も、前記垂設部における前記基部から離れた箇所に、ワイヤを通す孔部が形成されているので、ワイヤが前記板状部などに干渉することはなく、支障をきたさない。
【発明の効果】
【００２４】
本発明の扉の開き角度調節装置によれば、ブラケットに、ワイヤストッパを前記一方の部材に取り付けるためのストッパ取付用孔部が形成され、前記一方の部材における前記開口部の中央側または扉中央側に延びる板状部に前記ワイヤストッパが取り付けられる場合において、前記ワイヤストッパにおけるワイヤが前記他方の部材の係止箇所側に向けて出る箇所が、前記板状部よりも扉枠中央側または扉中央側に突出する姿勢となる位置に、前記ブラケットのストッパ取付用孔部が形成されているので、前記一方の部材における前記開口部の中央側または扉中央側に延びる板状部に前記ワイヤストッパが取り付けられる場合でも、取付用プレートなどを別途に設けなくても、前記板状部に、前記ワイヤストッパを良好に作動できる状態で取り付けることができ、ひいては製造コストの低減化を図ることができる。
【００２５】
また、前記板状部に前記ワイヤストッパを取り付ける場合に、前記ブラケットにおける前記ワイヤが前記他方の部材の係止箇所側に向けて出る側の箇所が、これとは反対側の箇所よりも前記板状部に対して開口部側に大きく突出する傾斜姿勢となるように、前記ブラケットのストッパ取付用孔部を形成することにより、前記板状部が、扉枠における開口部の中央側に延びる姿勢で配設されている場合に、前記ブラケットなどのワイヤストッパにおける開口部への突出するスペースを最小限に抑えることができ、利便性が向上する。
【００２６】
また、ブラケットにおけるブラケット取付用ねじをブラケットの内側から挿通させる際に用いるストッパ取付用孔部を、前記ブラケットの基板部に対して直交する方向から見て、ストッパ本体と重ならない位置に形成することにより、当該扉の開き角度調節装置を扉や扉枠に取り付ける際に、従来行っていたような、ブラケットに対するストッパ本体の取り外し作業や取付作業を行わないでも済み、作業能率が向上する。
【００２７】
また、扉と扉枠とにおける他方の部材に取り付けられる、板状の取付具を設け、前記取付具に、前記他方の部材の辺における内面部に沿って配設される基部と、この基部より屈曲されて開口部または扉の中心側に延びる垂設部とを備え、前記基部と前記垂設部の前記基部寄り箇所とに、前記取付具を他方の部材に取り付けるための取付用孔部をそれぞれ形成し、前記垂設部における前記基部から離れた箇所に、ワイヤを通す孔部を形成することにより、前記取付具を、前記他方の部材の辺における内面部に取り付ける場合や、前記他方の部材の辺における内面部から開口部または扉の中心側に延びる板状部に取り付ける場合の、何れの場合にも、ワイヤが前記板状部などに干渉することはなく、支障をきたさない状態で、良好に取付具を取り付けることができる。
【図面の簡単な説明】
【００２８】
【図１】本発明の実施の形態に係る扉の開き角度調節装置を備えた扉および扉枠の斜視図である。
【図２】同扉および扉枠を下方から見た底面断面図（図１のII−II線矢視断面図）である。
【図３】同扉および扉枠の要部側面断面図（扉の上部を裏面側から見た図）である。
【図４】（ａ）および（ｂ）は同扉の開き角度調節装置の平面断面図および正面図である。
【図５】同扉の開き角度調節装置の斜視図である。
【図６】同扉の開き角度調節装置のストッパ本体の断面図である。
【図７】同実施の形態の変形例に係る扉の開き角度調節装置を備えた扉および扉枠の斜視図である。
【図８】同変形例に係る扉および扉枠を下方から見た底面断面図である。
【図９】同変形例の扉の開き角度調節装置の要部側面図である。
【図１０】同実施の形態の他の変形例に係る扉の開き角度調節装置を備えた扉および扉枠の斜視図である。
【図１１】同実施の形態のその他の変形例に係る扉の開き角度調節装置を備えた扉および扉枠の斜視図である。
【図１２】本発明の他の実施の形態に係る扉の開き角度調節装置を備えた扉および扉枠の斜視図である。
【図１３】同実施の形態に係る扉の開き角度調節装置の斜視図である。
【図１４】同扉の開き角度調節装置の平面図である。
【図１５】同扉の開き角度調節装置の正面図である。
【図１６】同他の実施の形態の変形例に係る扉の開き角度調節装置を備えた扉および扉枠の斜視図である。
【図１７】従来の扉の開き角度調節装置を備えた扉および扉枠を下方から見た底面図である。
【図１８】同従来の扉の開き角度調節装置の斜視図である。
【図１９】同従来の扉の開き角度調節装置を示す図である。
【図２０】同従来の扉の開き角度調節装置のワイヤストッパおよびその近傍箇所を示す拡大正面断面図である。
【図２１】同従来の扉の開き角度調節装置のワイヤストッパを扉枠の上辺部下面に取り付けた状態を示す正面図である。
【図２２】同従来の扉の開き角度調節装置のワイヤストッパを扉枠の上辺部下面に取り付けた状態を示す斜視図である。
【図２３】同従来の扉の開き角度調節装置のワイヤストッパを扉枠の上辺部から垂下する板状部に取り付けた状態を示す正面図である。
【図２４】同従来の扉の開き角度調節装置のワイヤストッパを扉枠の上辺部から垂下する板状部に取り付けた状態を示す斜視図である。
【発明を実施するための形態】
【００２９】
以下、本発明の実施の形態に係る扉の開き角度調節装置を図面に基づき説明する。
図１〜図３において、１は、建物の入口や配電盤の開口部などの開口部２を開閉する扉であり、上下に延びる直線状の回転軸（鉛直軸心）３を中心に回転自在に配設されている。４は、扉１で開閉される開口部２の周囲に配設される扉枠であり、この扉枠４と扉１との間に、ワイヤ５を用いた扉１の開き角度調節装置１０が設けられている。
【００３０】
この開き角度調節装置１０は、扉１と扉枠４とにおける一方の部材としての扉１に取り付けられているワイヤストッパ１１と、扉１と扉枠４とにおける他方の部材としての扉枠４に取り付けられている板金製で板状の取付具１２と、これらワイヤストッパ１１と取付具１２との間を繋ぐワイヤ５と、を備えている。この実施の形態では、図１、図３に示すように、ワイヤストッパ１１は、扉１における裏面において上面部から扉中央側である下方に延びる板状部（上辺部裏面）１ａに取り付けられており、取付具１２は、扉枠４の上辺部の下面４ａに取り付けられている。
【００３１】
なお、図４（ａ）、図５などに示すように、取付具１２に通されているワイヤ５の端部は球状に形成されているとともに、ワイヤ５が通されている取付具１２の孔部１２ａよりも大きな抜け止め部材１６が取り付けられている。
【００３２】
図４〜図６などに示すように、ワイヤストッパ１１は、扉１の前記板状部（上辺部裏面）１ａに取り付けられ、両端部が平板状の基板部（中央面部）１３ａから折曲されて第１、第２の折曲片１３ｂ、１３ｃが形成されたブラケット１３と、ブラケット１３の第１の折曲片１３ｂにねじ込むなどして取り付けられ、ワイヤ５が挿通されたストッパ本体１４と、ストッパ本体１４内に設けられて、ワイヤ５を挟持する複数のボール１７や支持部材１８、ばね１９からなる挟持手段１５（図６参照）と、ストッパ本体１４におけるばね１９が内挿された部分（第１の折曲片１３ｂから出た部分）を覆う樹脂製などのキャップ２０と、ブラケット１３の第２の折曲片１３ｃにおける、ワイヤ５を通す孔に嵌め込まれて、ワイヤ５が損傷しないように保護しながら通す樹脂製などの環状材２１とを有する。
【００３３】
なお、この実施の形態では、ストッパ本体１４が取り付けられているブラケット１３の第１の折曲片１３ｂは、基板部１３ａに対して略直角方向に屈曲されている一方、環状材２１が取り付けられているブラケット１３の第２の折曲片１３ｃは、緩い角度で傾斜するように屈曲されており、ワイヤ５のブラケット１３から出る方向が小さい角度で変更されているが、これに限るものではない。また、図６に示すように、ストッパ本体１４の外周面には雄ねじ部１４ｂが形成されており、このストッパ本体１４の雄ねじ部１４ｂがブラケット１３の第１の折曲片１３ｂに形成された雌ねじ部（図示せず）にねじ込まれることによりブラケット１３に取り付けられている（図４（ａ）参照）。
【００３４】
図６に示すように、挟持手段１５は、ワイヤ５が挿通されてその挿通方向に沿って移動可能な略筒状の支持部材１８により、複数（この実施の形態では３つ）のボール１７が、ストッパ本体１４の内周に形成されたテーパ面（円錐面）１４ａに沿って摺接するとともに回転自在な状態で支持された構成とされている。そして、ワイヤ５が、Ｂ方向に引っ張られると、テーパ面（円錐面）１４ａにおける小径側箇所に移動することで、ボール１７がワイヤ５を挟持してワイヤ５のそれ以上の移動を阻止して挟持する。一方、ワイヤ５の有効長さを調節する場合には、ボール１７を支持する支持部材１８のストッパ本体１４から突出している部分をストッパ本体１４の内部側（反Ｂ方向）に押し込んだり、ワイヤ５のワイヤストッパ１１から出ている他端部を把持するなどして反Ｂ方向に引っ張ったりする。これにより、ボール１７がテーパ面（円錐面）１４ａにおける大径側箇所に移動して、ワイヤ５の挟持状態から解除され、この結果、ワイヤ５の有効長さを調節できる。なお、ばね１９は、複数のボール１７がはめ込まれている支持部材１８を、テーパ面（円錐面）１４ａが狭まる方向に付勢している。
【００３５】
ここで、図４（ａ）、（ｂ）、図５などに示すように、ブラケット１３には、ワイヤストッパ１１を扉１に取り付けるためのストッパ取付用孔部１３ｄが形成されている。図４（ｂ）などに示すように、４つのストッパ取付用孔部１３ｄは、ブラケット１３の基板部１３ａに対して直交する方向から見て、ストッパ本体１４と重ならない位置に形成され、この実施の形態では、基板部１３ａの四隅部近傍（すなわち、ブラケット１３の基板部１３ａに対して直交する方向から見て、ストッパ本体１４から離れた箇所）に設けられている。そして、扉１に対して２箇所の取付用孔部１３ｄ（この実施の形態では、ブラケット１３の基板部１３ａにおける上側の取付用孔部１３ｄ）を用いて、扉１の板状部（上辺部裏面）１ａにおける下端部近傍箇所にブラケット取付用ねじ２２（図１、図３参照）により取り付けられており、このように、ブラケット１３の基板部１３ａにおける上側の取付用孔部１３ｄを用いることで、図１、図３に示すように、ブラケット１３の中央部から下部（すなわちブラケット１３の開口部２寄り部分）が全体的に、扉１の板状部１ａよりも扉中央側である下方に突出する姿勢で固定されている。つまり、ワイヤストッパ１１におけるワイヤ５が扉枠４に取り付けられた取付具１２側に向けて出る箇所（この実施の形態では、環状材２１から出る箇所）が、扉１の板状部１ａの下端縁よりも扉中央側である下方に配置されるよう構成されている。なお、扉や扉枠の配置が異なる場合により、ブラケット１３が上下逆に取り付けられる場合があるため、図４などに示す場合におけるブラケット１３の下部にも２つのストッパ取付用孔部１３ｄが形成されている。
【００３６】
また、図５に示すように、他方の部材としての扉枠４に取り付けられる取付具１２は、扉枠４の辺における内面部（この実施の形態では上辺部の下面４ａ）に沿って配設される基部１２ｂと、この基部１２ｂより下方に屈曲されて開口部２の中心側である下方に延びる垂設部１２ｃとを備えている。そして、取付具１２における基部１２ｂと、垂設部１２ｃの基部寄り箇所（この実施の形態では垂設部１２ｃの上部）とに、取付具１２を扉枠４に取り付けるための取付用孔部１２ｄ、１２ｅがそれぞれ形成されている。そして、この実施の形態では、図１〜図３などに示すように、固定ねじ２３を用いて、基部１２ｂに設けた取付用孔部１２ｄを通して、取付具１２を、良好な姿勢で、扉枠４の上辺部の下面４ａに取り付けている。また、この実施の形態では、図５などに示すように、垂設部１２ｃの下部（垂設部１２における前記基部から離れた箇所）が若干傾斜するように傾斜されているが、この垂設傾斜部１２ｃ’に、ワイヤ５を通す孔部５ａが形成されている。
【００３７】
上記構成によれば、ワイヤストッパ１１を扉１の板状部（上辺部裏面であり、扉中央側に延びる板状部である）１ａに取り付けているが、ワイヤストッパ１１を扉１に取り付けるブラケット１３の基板部１３ａの上部にストッパ取付用孔部１３ｄを形成し、このストッパ取付用孔部１３ｄを用いて、ワイヤストッパ１１におけるワイヤ５が取付具１２側に出る箇所が、扉１の板状部１ａよりも下方（扉中央側）に突出する姿勢に配置できるよう構成している。これにより、従来は必要であった取付用プレートなどを別途に設けなくても、扉１の板状部１ａに、ワイヤストッパ１１が良好に作動できる状態（ワイヤ５が板状部１ａに干渉しない状態）で取り付けることができ、ひいては製造コストの低減化を図ることができる。
【００３８】
また、上記構成によれば、この実施の形態における他方の部材としての扉枠４に取り付けられる取付具１２に、扉枠４の上辺部の下面４ａ（前記他方の部材の辺における内面部）に沿って配設される基部１２ｂと、この基部１２ｂより屈曲されて下方（開口部２の中心側）に延びる垂設部１２ｃとを備えたので、取付具１２を、基部１２ｂの取付用孔部１２ｄおよび固定ねじ２３を用いて、支障なくワイヤ５が出退できる良好な姿勢で、扉枠４の上辺部の下面４ａに直接取り付けることができる。
【００３９】
なお、上記実施の形態では、取付具１２を扉枠４の上辺部の下面４ａに取り付けた場合を述べたが、これに限るものではない。すなわち、取付具１２は、基部１２ｂと、垂設部１２ｃとを備えているため、図７〜図９に示すように、取付具１２を、扉枠４の上辺部の下面４ａから下方に延びる板状部４ｂに取り付ける場合でも、支障なく取付具１２を取り付けることができる。この実施の形態では、図８、図９に示すように、取付具１２の垂設部１２ｃに設けた取付用孔部１２ｅおよび固定ねじ２５を用いて、取付具１２を扉枠４の板状部４ｂに沿わせ、かつ、ワイヤ５が出退する箇所が扉枠４の板状部４ｂに干渉せずに下方に突出している良好な姿勢で取り付けることができる。なお、この実施の形態では、取付具１２の垂設部１２ｃの取付用孔部１２ｅがねじ孔とされ、扉枠４の板状部４ｂに設けた挿通孔を通して、固定ねじ２５がねじ込まれて固定される場合を図示しているが、これに限るものではない。
【００４０】
また、上記の実施の形態では、ワイヤストッパ１１を扉１の板状部１ａに取り付け、取付具１２を扉枠４の上辺部の下面４ａや扉枠４の板状部４ｂに取り付けた場合を述べたが、これに代えて、図１０や図１１に示すように、取付具１２を扉１の板状部１ａに取り付け、ワイヤストッパ１１を扉枠４の上辺部の下面４ａや扉枠４の板状部４ｂに取り付けてもよく、この場合でも、ワイヤストッパ１１や取付具１２のワイヤ５の出退する箇所を遮るものはないため、当該開き角度調節装置１０を良好に作動させることができる。
【００４１】
また、上記の実施の形態では、図６に示すように、ストッパ本体１４の外周面に雄ねじ部１４ｂを形成して、ストッパ本体１４をブラケット１３に直接取り付けたので、ストッパ本体１４の全長を短くすることができて、ひいては、ワイヤストッパ１１をコンパクト化することができる利点がある。すなわち、従来のワイヤストッパ１１では、図２０に示すように、ストッパ本体８７として、ボール８８ａなどが収納される筒状部分に加えて、ブラケット８６に取り付けるためのねじ面が形成された取付筒部８７ａを別途に設けていたため、ストッパ本体８７としての全長が長くなり、ワイヤストッパ８３として大型化する短所を有していたが、本実施の形態では、このようなことがなく、ワイヤストッパ１１をコンパクト化できる利点がある。
【００４２】
また、図１２〜図１６は本発明の他の実施の形態に係る扉の開き角度調節装置１０’を示すもので、この開き角度調節装置１０’ではワイヤストッパ１１’におけるブラケット１３’に形成されたストッパ取付用孔部１３ｆの位置と、取付具２８の形状とが、上記実施の形態とは異なるが、他の構成要素についてはほぼ同様の構成であるため、同じ箇所については同符号を付してその説明を省略する。
【００４３】
この扉の開き角度調節装置１０’では、図１２〜図１５に示すように、ワイヤストッパ１１’を扉枠４の板状部４ｂ（または扉１の板状部１ａ）に取り付ける場合に、ブラケット１３’におけるワイヤ５が出る箇所（ワイヤストッパ１１’におけるブラケット１３’や環状材２１からワイヤ５が出る箇所）が、これとは反対側の箇所（ブラケット１３’の基板部１３ａにおけるストッパ本体１４が取り付けられている第１の折曲片１３ｂ寄りの箇所）よりも下方（開口部２側）に大きく突出する傾斜姿勢となるように、ブラケット１３’のストッパ取付用孔部１３ｆが形成されている。具体的には、この実施の形態では、図１４、図１５に示すように、ブラケット１３’のストッパ取付用孔部１３ｆが、基板部１３ａにおけるストッパ本体１４が取り付けられている第１の折曲片１３ｂ寄りの箇所では、基板部１３ａの幅方向中央箇所に形成されているが、反対側の第２の折曲片１３ｃ寄りの箇所では、基板部１３ａの幅方向両端部寄り箇所にそれぞれ形成されている。また、ブラケット１３’のストッパ取付用孔部１３ｆがねじ孔（雌ねじ）とされ、ブラケット１３’の外側（ストッパ本体１４などが設けられていない側）からブラケット取付用ねじ２７がねじ込まれるようになっている。また、ブラケット１３’の基板部１３ａには、ブラケット１３を扉枠４の上辺部下面４ａなどに取り付ける際などに用いるストッパ取付用孔部（挿通孔部）１３ｇも形成されている。ここで、ストッパ取付用孔部（挿通孔部）１３ｇは、ブラケット１３’におけるブラケット取付用ねじ２２’（図１６参照）をブラケット１３’の内側から挿通させる際に用いるものであり、これらのストッパ取付用孔部（挿通孔部）１３ｇは、図１４に示すように、ブラケット１３’の基板部１３ａに対して直交する方向から見て、ストッパ本体１４や支持部材１８と重ならない位置に形成されている。
【００４４】
また、ワイヤ５の他方側が通される取付具２８は、取付用孔部２９が形成された平板状の基部２８ａの下方に、若干屈曲された傾斜面部２８ｂが設けられ、この傾斜面部２８ｂにワイヤ５が通される孔部２８ｃが形成されているとともに、ワイヤ５の端部に抜け止め部材１６が取り付けられている。
【００４５】
また、この実施の形態でも、図６に示すストッパ本体１４が第１の折曲片１３ｂにねじ込まれて、ブラケット１３’に取り付けられているが、動作自体は上記ワイヤストッパ１１’と同様である。
【００４６】
上記構成によれば、図１２に示すように、ワイヤストッパ１１’を、扉枠４の板状部（上辺部裏面であり、開口部２中央側に延びる板状部である）４ｂに取り付ける場合において、ワイヤストッパ１１’を扉枠４に取り付けるブラケット１３’の基板部１３ａに、ワイヤ５の取付具２８側に出る側の箇所が、これとは反対側の箇所よりも扉枠４の板状部４ｂに対して下方に大きく突出する傾斜姿勢となるように、ブラケット１３’のストッパ取付用孔部１３ｆが形成されていることにより、ワイヤ５の取付具２８側に出る部分が、扉枠４の板状部４ｂよりも下方（扉中央側）に大きく突出する姿勢に配置されて、ワイヤ５が扉枠４の板状部４ｂに干渉することがない。この結果、従来は必要であった取付用プレートなどを別途に設けなくても、扉枠４の板状部４ｂに、ワイヤストッパ１１’が良好に作動できる状態で取り付けることができ、ひいては製造コストの低減化を図ることができる。
【００４７】
また、この構成によれば、ワイヤストッパ１１’を開口部２に臨む扉枠４の板状部４ｂに取り付ける場合において、ブラケット１３’の基板部１３ａにおける、ワイヤ５の取付具２８側に出る側の箇所は板状部４ｂよりも突出するが、反対側の箇所は板状部４ｂに対して出さないように配置できる（あるいは少ししか出ないように配置できる）ため、図８に示すように、ブラケット１３の基板部１３ａにおける下部や中央部が全体的に出るように配置する場合と比較して、扉枠４の開口部２側に突出する箇所のスペースを最小限に抑えることができ、利便性が向上する。
【００４８】
なお、図１６に示すように、この実施の形態のワイヤストッパ１１’でも、ブラケット１３’に形成したストッパ取付用孔部（挿通孔部）１３ｇやブラケット取付用ねじ２２’を用いて、ブラケット１３’の基板部１３ａを扉枠４の上辺部の下面４ａなどに取り付けることができ、当該扉の開き角度調節装置１０’を支障なく用いることができる。また、この構成によれば、ブラケット１３’におけるブラケット取付用ねじ２２’をブラケット１３’の内側から挿通させる際に用いるストッパ取付用孔部１３ｇが、ブラケット１３’の基板部１３ａに対して直交する方向から見て、ストッパ本体１４や支持部材１８と重ならない位置に形成されているため、ブラケット１３を扉枠４や扉１に取り付ける場合において、ブラケット取付用ねじ２２’をブラケット１３’の内側からストッパ取付用孔部１３ｇに通す際でも、ストッパ本体１４が邪魔にならないため、従来行っていたような、ブラケット８６に対するストッパ本体８７の取り外し作業や取付作業を行わないでも済み、作業能率が向上する。
【００４９】
また、図示しないが、上記実施の形態と同様に、ワイヤストッパ１１’を扉１に取り付け、取付具２８を扉枠４に取り付けることも可能である。
【００５０】
また、上記実施の形態では、ワイヤストッパ１１、１１’や取付具１２、２８を、扉１の上辺の板状部１ａと、扉枠４の上辺部下面４ａや上辺部下面４ａから垂下する板状部４ｂとに取り付ける場合を述べ、この場合には、扉１などの利用者などに対して、開き角度調節装置１０、１０’が邪魔になることが少なくて好適である。しかし、これに限るものではなく、同様な構成を採用することにより、例えば扉の側辺部の上端寄り箇所や扉枠の側辺部の上端寄り箇所などに取り付けることも可能であり、また、場合によっては、扉の下辺部や扉枠の下辺部などに取り付けることも可能である。
【符号の説明】
【００５１】
１      扉
１ａ    板状部（上面部裏面）
２      開口部
３      回転軸
４      扉枠
４ｂ    板状部
５      ワイヤ
１０、１０’    扉の開き角度調節装置
１１、１１’    ワイヤストッパ
１２、２８    取付具
１３、１３’    ブラケット
１３ａ    基板部
１３ｂ    折曲片（第１の折曲片）
１３ｃ    折曲片（第２の折曲片）
１３ｄ、１３ｆ、１３ｇ    ストッパ取付用孔部
１４    ストッパ本体
１５    挟持手段
２２、２２’    取付ねじ
２３、２５、２７    固定ねじ
２９    取付用孔部
【図１】
2015134994.tif 000003
【図２】
2015134994.tif 000004
【図３】
2015134994.tif 000005
【図４】
2015134994.tif 000006
【図５】
2015134994.tif 000007
【図６】
2015134994.tif 000008
【図７】
2015134994.tif 000009
【図８】
2015134994.tif 000010
【図９】
2015134994.tif 000011
【図１０】
2015134994.tif 000012
【図１１】
2015134994.tif 000013
【図１２】
2015134994.tif 000014
【図１３】
2015134994.tif 000015
【図１４】
2015134994.tif 000016
【図１５】
2015134994.tif 000017
【図１６】
2015134994.tif 000018
【図１７】
2015134994.tif 000019
【図１８】
2015134994.tif 000020
【図１９】
2015134994.tif 000021
【図２０】
2015134994.tif 000022
【図２１】
2015134994.tif 000023
【図２２】
2015134994.tif 000024
【図２３】
2015134994.tif 000025
【図２４】
2015134994.tif 000026